(57)【特許請求の範囲】
【請求項１】
電磁シールド空間と非電磁シールド空間とを画する電磁シールド層の貫通部を、被覆部を有する導体線を貫通させる場合の電磁シールド層の貫通部処理構造であって、
前記導体線には、前記被覆部の外側に外部シールド層が設けられ、
前記貫通部には、前記電磁シールド層と同様の電磁シールド性能を有する材質で形成されて前記電磁シールド層の開口部に設けられる本体と、前記本体に設けられて前記導体線を貫通させる貫通開口部と、網目の大きさが前記導体線の断面径よりも小さく形成されて前記貫通開口部に張られた導電性ネットとを備えた貫通処理部材が設けられ、
前記導体線は、前記貫通開口部を貫通すると前記導電性ネットの網目を押し広げて該導電性ネットに接触し、前記貫通処理部材を介して前記電磁シールド層に電気的に接続されることを特徴とする電磁シールド層の貫通部処理構造。
【請求項２】
請求項１記載の電磁シールド層の貫通部処理構造において、
前記導体線は同軸ケーブルであって、前記被覆部を介して、前記被覆部より内側に設けられた内部シールド層に対して、前記外部シールド層が絶縁されて設けられていることを特徴とする電磁シールド層の貫通部処理構造。
【発明の詳細な説明】
【０００１】
【発明の属する技術分野】
本発明は、事務所ビル、工場、病院などで使用する無線通信において、無線通信電波の侵入、漏洩を防止し、室内での無線通信を有効に行なうための電磁シールド技術に関し、特に電磁シールド部を貫通する電線などの導体線の引き込み処理技術に関する。
【０００２】
【従来の技術】
近年の高度情報化に伴い、事務所ビル、無人化を指向する先端工場、最新医療機器が導入される病院などでの無線通信利用が注目されている。無線ＬＡＮを中心とした無線通信を室内で良好に、すなわち性能を十分に発揮して行なうには、送信器が発信した信号波を受信器で確実に受信できるようにすることが必要である。
【０００３】
しかし、無線ＬＡＮなどが普及し、複数の近接するビルなどで同時に無線通信を行なうと、狭い周波数帯の電波をそれぞれの無線通信器で共有するため、自身以外の無線通信機器が送信した電波が雑音（ノイズ）となり、送受信できる能力が格段に落ちることが危惧されている。
【０００４】
これに対する対策としては、建物側で外部（外部とは、同一建物の他階なども含む場合もある）からの電磁波侵入を防止する電磁シールドビルが提案されている。電磁シールドビルでは、銅箔や鉄箔、金属不織布などの電磁シールド材を使用して、建物内部での電磁シールドを行なっている。
【０００５】
一方、電磁シールド空間内部でパソコンや電話などを使用するためには、電磁シールドを破って外部から電磁シールド空間内に電源、通信ケーブルなどの所謂導体線を引き込む必要がある。このような場合、不要なノイズをカットするために電源フィルタもしくは通信線フィルタを使用することが有効であるが、コストが高くまた施工が困難である。
【０００６】
また、かかるノイズカットフィルタは、設計段階で予めインピーダンス（抵抗）が決められており（通常、５０オーム）、電磁シールドビルのような電源側も負荷側もインピーダンスが一定しない場合には、フィルタによる電磁シールド効果が十分に発揮されない場合が多い。そこで、これらを考慮した簡易な電磁シールド貫通部処理方法として、導波管の電磁シールド効果を利用する方法が提案されている。
【０００７】
【発明が解決しようとする課題】
しかし、導波管を利用した場合でも、内部に導体線が貫通する場合には、同軸管として作用するため、導体線と導波管との電気的な接続を取らないと十分な電磁シールド性能を発揮することができない。逆に、導波管が電磁波の良好な通過路となる場合もある。かかる同軸管効果は、金属製の電線管内部でも起こり得るものであり、電磁シールドのための対策が改めて必要とされている。
【０００８】
導波管を使用して電磁シールド効果を発揮させるためには、導波管内部に何も貫通させないか、あるいは貫通させたとしても非導電体のみの貫通としておかなければならない。しかし、導波管内部に、通常の電線、ケーブルなどの所謂導体線を貫通させた場合には、導波管が上記の如く同軸管としての働きをするため、電磁シールド機能が大きく低下する。
【０００９】
導波管が電磁シールド効果を示すのは、図１に示すように、入射した電磁波Ｅの波長と、導波管１の管幅Ｄおよび管長Ｌとの関係から、波長の長い電磁波が通過できないからと説明できる。一方、図２に示すように、導波管1の内部に電線などの導体線２が貫通すると、同軸管の働きをするようになり、波長に関係なく非常によく電磁波Ｅを透過するようになる。
【００１０】
同軸管は、良好な伝送経路として知られており、アンテナが受信した電波を送る際などに用いられる同軸ケーブルもその１種である。同軸ケーブルでは、その心線を中心として、遮蔽用アルミテープなどのシールド層内を回転しながら電磁波が進む。この同軸ケーブルの働きと同様に、導体線２上に電流が流れ、磁界は導体線の周囲を図２に示すように、回転しながら進むこととなり、結果として電磁波Ｅが導波管１内を通過することとなる。
【００１１】
このような電磁波の通過は、図３に示すように、電磁シールド材３に設けた貫通孔４においても起こり得る。すなわち、電磁シールド材３の貫通孔４に導体線２を貫通させると、貫通孔４そのものが図２に示す導波管１と同じ働きをするために、電磁波が貫通孔４を通過してしまうこととなる。
【００１２】
そこで、本発明者は、電磁シールド材の貫通部における導体線の通過に関わるシールド破壊を抑制する技術の開発が必要と考えた。特に、電磁シールドビルに対しては、一般的に４０ｄＢ程度の電磁シールド性能が求められているため、少なくとも４０ｄＢ程度の電磁シールド性能が有効に発揮できる技術であればより好ましい。
【００１３】
本発明の目的は、電磁シールド空間と非電磁シールド空間とを画する電磁シールド層に、導体線を貫通させるに際して、電磁シールドの破壊を極力防止できるようにすることにある。
【００１４】
【課題を解決するための手段】
本発明者は、前記問題点は、電磁シールド層に設けた貫通部内に電線などの導体線を通過させることに基づく同軸効果の抑制が行なえれば解決できると考え、貫通部内に通す導体線の線路のインピーダンスを大きくして電磁波を極力通さないようにすれば解決が図れると考えた。
【００１５】
インピーダンス（Ｚ）は、Ｚ＝√（μ／ε）で与えられるため、透磁率μを上げるか、あるいは誘電率εを下げる手段を考えればよい。すなわち、本発明は、電磁シールド空間と非電磁シールド空間とを画する電磁シールド層の貫通部を電線などの導体線を貫通させる電磁シールド層の貫通部処理構造であって、前記貫通部を貫通する前記導体線の前記非電磁シールド空間に出ている側に、前記導体線の絶縁部外周に絶縁性磁性体が設けられていることを特徴とする。
【００１６】
電線、ケーブルなどの導体線の絶縁体の周囲に十分な厚み、長さを有する上記絶縁性磁性体を設けることにより、導体線のインピーダンスを大きくして導体線上の電磁波を通過しにくくし、結果として電磁シールド性を向上させることができる。かかる絶縁性磁性体の取付け厚み、長さ、取付けピッチは、シールド対象とする電磁波の波長、および磁性材料の特性に合わせて適宜設定すればよい。
【００１７】
また、導体線を伝わるノイズとなる不要電磁波は、空間に飛び出す特性が強いので、電磁シールド層の貫通部を貫通する導体線の非電磁シールド空間側で貫通部直前位置に前記絶縁性磁性体を設けておけば、かかるノイズの空間への散乱を効果的に抑止することができる。絶縁性磁性体としては、透磁率μが高く、絶縁性も高いフェライトなどを使用すればよい。
【００１８】
また、貫通処理部での電磁シールド性の向上を図るには、導体線自身のシールド性を向上させる手段も考えられる。すなわち、本発明は、電磁シールド空間と非電磁シールド空間とを画する電磁シールド層の貫通部を貫通する電線などの被覆部を有する導体線であって、前記被覆部の外側には、外部シールド層が設けられていることを特徴とする。
【００１９】
前記導体線は同軸ケーブルであって、前記被覆部を介して、前記被覆部より内側に設けられた内部シールド層に対して、前記外部シールド層が絶縁されて設けられていることを特徴とする。
【００２０】
また、上記構成の導体線を、前記構成の電磁シールド層の貫通部処理構造に使用してもよい。すなわち、上記構成の導体線は、電磁シールド空間と非電磁シールド空間とを画する電磁シールド層の貫通部を前記導体線を貫通させるに際して、前記導体線の前記非電磁シールド空間に出ている側では、前記外部シールド層の外周に絶縁性磁性体が設けられていることを特徴とする。
【００２１】
さらに、かかる導体線を電磁シールド層の貫通処理構造に適用した構成として、本発明は、電磁シールド空間と非電磁シールド空間とを画する電磁シールド層の貫通部を電線などの被覆部を有する導体線を貫通させる場合の電磁シールド層の貫通部処理構造であって、前記導体線には、前記被覆部の外側に外部シールド層が設けられ、前記外部シールド層と前記貫通部とが、導通手段を介して電気的に接続されていることを特徴とする。かかる構成で使用する前記導体線は同軸ケーブルであって、前記被覆部を介して、前記被覆部より内側に設けられた内部シールド層に対して、前記外部シールド層が絶縁されて設けられていることを特徴とする。
【００２２】
従来の導体線は、同軸ケーブルであっても、電源線であっても、被覆部として内部の心線などを保護するための保護層が設けられている。例えば、従来構成の同軸ケーブルでは、心線を被覆する内部シールド層と、内部シールド層を保護する絶縁性の被覆部とから構成されており、かかる心線を中心に内部シールド層との間を回転しながら、電磁波が進むこととなる。
【００２３】
そのため、かかるシールド層に少しでも傷が付くと、そこからノイズが入り易くなるという問題点を有していた。しかし、本願のように、外部シールド層を別途内部シールド層の外方に設けることにより、電磁シールド性能を十分に確保することができ、ノイズの格段の抑制が図れる。
【００２４】
また、従来の電源線は、被覆部として内部の心線を保護するための保護層が同軸ケーブルと同様に設けられているが、しかし、内部シールド層は設けられていない。そのため、電源線は、本来的には、かかる電磁シールド層を貫通させる構造での使用には適していないと言える。
【００２５】
そこで、本発明は、前記のように外部シールド層を設けて、電源線、同軸ケーブルなどの導体線に電磁シールド性を付与することを図った。
【００２６】
導体線の被覆部の外側に外部シールド層を設ける構成では、導体線が電磁シールド層を貫通する場合には、電磁シールド層と外部シールド層とを電気的に接続する必要があるが、本発明の貫通処理部材を使用すれば、かかる電気的接続を簡単にすることができる。
【００２７】
すなわち、本発明は、電磁シールド空間と非電磁シールド空間とを画する電磁シールド層の貫通部を貫通する電線などの導体線と、前記電磁シールド層との電気的接続を行わせる貫通処理部材であって、前記電磁シールド層の開口部に設ける本体と、前記本体に設けられ、前記導体線を貫通させる貫通開口部と、前記貫通開口部に設けられ、前記導体線を貫通させることにより前記導体線に接触する導電性部材とを有することを特徴とする。前記導電性部材は、網状に形成されて、前記貫通開口部に張られていることを特徴とする。
【００２８】
網状に構成しておくことにより、導体線を網目の中を通すに際して必然的に外部シールド層に網が接触して自然に電気的接続が行えるようになっている。あるいは、網目構造を破るようにして導体線を通すことにより、破られた網が外部シールド層に必然的に接触するように構成しておいてもよい。
【００２９】
かかる構成の貫通処理部材を前記構成の貫通部処理構造に適用した構成として、本発明では、前記導通手段は、前記電磁シールド層の前記貫通部の開口部に設けた導電性部材に前記導体線を貫通させることにより、前記導体線の前記外部シールド層を前記導電性部材に接触させる手段であることを特徴とする。
【００３０】
さらに、かかる貫通部における電磁シールド性能を向上させる構成としては、通す導体線の数を少なくすることも有効な方法である。そのため、電磁シールド空間の外部で分電盤、端子盤などにより、導体線としての例えば電線を分岐しておき、分岐された電線を電磁シールド空間内に引き込む従来方法では、どうしても貫通部を通過する導体線の数は多くなる。
【００３１】
そこで、導体線の分岐などは、基本的には電磁シールド空間内に入ってから行う方法を採用することにより、貫通部を通過する導体線の数を少なくすることができる。すなわち、本発明は、電磁シールド空間と非電磁シールド空間とを画する電磁シールド層の貫通部を電線などの導体線を貫通させる電磁シールド層の貫通部処理構造であって、前記導体線は、前記電磁シールド空間内にて、分電盤および／または、端子盤を解して分岐させられていることを特徴とする。前記導体線は、前記電磁シールド層の貫通部では、前記構成のいずれかに記載の電磁シールドの貫通処理構造が採用されていることを特徴とする。
【００３２】
かかる構成を採用することにより、例えば、電磁シールド層の貫通部を貫通する導体線が、電磁シールド空間内で分岐された分岐線の本数より、前記貫通部を通過する前記導体線の本数を少なくすることができる。
【００３３】
本発明は、上記いずれの構成でも、少なくとも約４０ｄＢ程度の電磁シールド性能は確保される。
【００３４】
【発明の実施の形態】
以下、本発明の実施の形態を図面に基づいて詳細に説明する。
【００３５】
（参考例）
図４（Ａ）は、電磁シールド層に導体線を貫通させている様子を示す模式図であり、（Ｂ）は導体線に絶縁性磁性体を設けた様子を部分的に示す要部斜視図である。図４では、電磁シールド空間を構成する電磁シールド材で構成された電磁シールド層１０が、イメージし易いように略矩形平面として模式的に示されている。
【００３６】
電磁シールド層１０には、導体線１１が、電磁シールド層１０に設けた貫通孔１２を通して、非電磁シールド空間１３ａから電磁シールド空間１３ｂ内に引き込まれている。なお、図４では、電磁シールド空間１３ｂ内に引き込まれた導体線１１を破線で示した。
【００３７】
導体線１１としては、例えば、電線、ケーブルなどを想定すればよい。導体線１１は、概略、電気を通す心線と、その周囲に設けた絶縁層などから構成されている。かかる絶縁層の周囲に、絶縁性で且つ透磁率μの高い材質の絶縁性磁性体１４が設けられている。かかる絶縁性磁性体１４は、例えば、絶縁性を有し、且つ高い透磁率を有するフェライトで形成しておけばよい。
【００３８】
かかる絶縁性磁性体１４の形状は、導体線１４の絶縁層の外周を囲むことができる形状であればどのような形状であっても構わない。図４に示す場合には、絶縁性磁性体１４は例えば略短筒状に形成され、絶縁性磁性体１４の筒内壁に導体線１１の絶縁層が接触するようにしてその外周を囲むように形成されている。
【００３９】
また、図４に示す場合には、かかる絶縁性磁性体１４は所定間隔で複数設けられ、導体線１１が貫通孔１２から引き込まれる前に設けられている。すなわち、導体線１１の非磁性空間１３ａ側にある部分に絶縁性磁性体１４が設けられている。
【００４０】
このように絶縁性磁性体１４を、貫通孔１２に入る前の導体線１１の絶縁層の周囲に設けることにより、導体線１１のインピーダンスを高くすることができ、例えば図３に示すような導体線２上を渦巻状に流れる電流を流れにくくすることができる。併せて、貫通孔１２の直前位置に設けておけば、導体線１１上を伝わる不要電磁波の非電磁シールド空間への漏洩を防止することができる。
【００４１】
絶縁性磁性体１４の長さＬ１、厚みＤ１、および取付ピッチＰ１は、シールド対象とする電磁波の波長、および電磁シールド層１０を構成する電磁シールド材の電磁シールド性能に合わせて適宜設定すればよい。
【００４２】
（実施の形態１）
前記参考例では、電磁シールド層を通過する導体線の構成には特段触れなかったが、本実施の形態では、かかる導体線に電磁シールド性能を付与する構成を提案するものである。
【００４３】
図５（Ａ）は、導体線が同軸ケーブルに構成されている場合であり、外部シールド層を設けた本発明に係る導体線の断面構成を示す部分斜視図であり、（Ｂ）は外部シールド層を設けない従来構成の導体線の断面構成を示す部分斜視図である。
【００４４】
図５（Ａ）に示す場合には、本発明の導体線２０は、電気を通す心線２１と、その心線２１を囲む誘電層２２と、その誘電層２２囲む内部シールド層２３と、シールド層２３を囲む被覆部２４と、その被覆部２４を囲む外部シールド層２５とから構成されている。かかる被覆部２４は、絶縁層として機能している。
【００４５】
外部シールド層２５は、導体線２０の保護層としての役目を果たすように構成されている。すなわち、外部シールド層２５は、外装被覆として機能することとなる。
【００４６】
かかる構成の導体線２０は、前記参考例で説明した構成における導体線１１の代わりに使用することで、かかる導体線２０を使用しない場合に比べて、格段に電磁シールド性能の向上が図れる。
【００４７】
なお、特開平５−２１９８１号公報には、電磁波漏洩防止構造としてシールドケーブルのシールド層を電磁シールド層に電気的に接続する構成が開示されているが、本発明の上記構成の導体線２０は、かかるシールドケーブルとは異なる構成を有している。
【００４８】
上記公報開示のシールドケーブルは、シールド層が一層形成されているに過ぎず、シールド層の電磁シールド層への電気的接続は、シールド層を被覆している第２絶縁層をわざわざ剥離して接続させる構成である。電磁シールド層と電気的に接続させるシールド層は、かかる公報記載の構成では、一層しか設けられておらず、被覆する第２絶縁層を剥離する際に傷をつける虞れが十分にある。一層しかないかかるシールド層に傷をつけると、ノイズが入り易くなり、心線を通る電波（信号）を劣化させることとなる。
【００４９】
しかし、本発明の構成では、絶縁層としての被覆部２４を介して内部シールド層２３と外部シールド層２５とが設けられた二層構造を有しており、外部シールド層２５による電磁シールド層１０への電気的接続を行うことができ、且つ、外装被覆の機能をも果たしている。
【００５０】
そのため、上記公報記載の場合とは異なり、電気的接続を確保するために被覆層を剥離する必要がなく、保護層の役目をも果たしている外部シールド層２５をそのまま電磁シールド層１０に電気的に接続すればよく、心線２１を通る電波を劣化させるノイズの侵入を誘起する内部シールド層２３への傷付けを回避することができ、電磁シールド性能が確保されることとなる。
【００５１】
また、予め間に被覆部２４を介して内部シールド層２３とは隔てられた電気的接続用の外部シールド層２５が設けられているため、公報記載のシールドケーブルとは異なり、施工の都度外装被覆を剥離する手間が掛からず、施工の短縮が図れる。
【００５２】
かかる構成の導体線２０は、電磁シールド層１０の貫通孔を貫通させるに際しては、導体線２０の外装被覆である外部シールド層２５と、電磁シールド層１０との間に電気的接続をするようにしておけばよい。
【００５３】
上記説明では、導体線２０が同軸ケーブルである場合について、被覆部２４の外側に外部シールド層２５を設ける構成を示したが、図６に示すように、導体線２０を電源線に構成した場合についても同様の構成が考えられる。
【００５４】
図６（Ａ）は本発明の電源線の断面状況を示す部分斜視図であり、（Ｂ）は従来構成の電源線の断面状況を示す部分斜視図である。図６（Ａ）に示す場合には、電源線の２本の心線３１ａ、３１ｂは、それぞれビニルなどの絶縁層３２に被覆されている。心線３１ａ、３１ｂを被覆した絶縁層３２は、ポリエチレンなどの被覆部３３で保護されている。被覆部３３の外側全体が外部シールド層３４により被覆されている。
【００５５】
このように電源線に構成された導体線２０でも、前記同軸ケーブルとして構成した場合と同様に、外部シールド層３４を、電磁シールド層１０の貫通孔１２に電気的に接続させることにより、かかるシールド層の構成を持たない従来構成の電源線に、電磁シールド性能を付与することができる。
【００５６】
因みに、従来構成の場合には、図６（Ｂ）に示すように、２本の心線３５ａ、３５ｂのそれぞれを被覆する絶縁層３２を被覆部３３で被覆する構成で、本発明の如き外部シールド層に相当する構成は設けられていない。
【００５７】
（実施の形態２）
本実施の形態では、前記実施の形態１で説明した導体線の外部シールド層を、電磁シールド材の貫通孔に簡単に電気的接続が行えるようにする構成について説明する。
【００５８】
同軸ケーブル、電源線のいずれに構成されていても、導体線に設けた外部シールド層の電磁シールド材に設けた貫通孔への電気的接続は、金属線を用いて行えばよいが、施工の都度、かかる金属線を用いて電気的接続を確保するのは作業が面倒である。
【００５９】
そこで、本発明者は、図７（Ａ）に示すような貫通処理部材４０を発明した。かかる貫通処理部材４０を用いることにより、極めて簡単に電気的接続処理を行うことができる。
【００６０】
貫通処理部材４０は、図７（Ａ）に示すように、電磁シールド層１０と同様の電磁シールド性能を有する材質で形成されたプレート４１を本体として、プレート４１に設けた導体線貫通用の貫通孔４２とから構成されている。貫通孔４２の開口部には、図７（Ｂ）に示すように、導電性部材４３が張られている。導電性部材４３は、シールド対象の電磁波の周波数に合わせて、金属ネットなどの導電性ネットを張ったり、あるいは金属繊維などの導電性繊維を張ったり、あるいは導電性の布を張ったりすればよい。また、ガスケットに構成することも考えられる。
【００６１】
上記のように導電性部材４３を貫通孔４２の開口部に張るに際しては、貫通孔４２に導体線２０を通す際に、必然的に導電性部材４３が導体線２０の外部シールド層２５に接触するように張る必要がある。例えば、ネット状に構成する場合には、網目の大きさを、予想される導体線２０の断面径より少し小さめに形成しておき、導体線２０を通す際には、かかる網目を押し広げながら通さなければならないように設定しておけばよい。さらには、網目より大きな場合には、網目部分を破りながら通さなければならないように設定しておけばよい。
【００６２】
かかる構成の貫通処理部材４０は、図７（Ｃ）の断面図に示すように、電磁シールド層１０に設けた開口部１０ａを塞ぐように設けられ、プレート４１に設けた貫通孔４２を通して導体線２０を引き込むようになっている。導体線２０の引き込みは、図８（Ａ）に示す場合は、貫通孔４２に設けた導電性部材４３の定形格子状の網目を押し広げるように通して行うことにより、必然的に導体線２０の外部シールド層２５が導電性部材４３に接触させられて、電気的接続が確保されている。
【００６３】
図８（Ｂ）に示す場合には、導電性部材４３は、導電性繊維を不定形に貫通孔４２の開口部に張ってあり、かかる不定形のネット部分を破るようにして導体線２０が通されている。このようにして、電気的接続を確保することができるようにしてもよい。
【００６４】
また、貫通孔４２には、図８（Ｃ）に示すように、電磁シールド性能を有する素材で形成された蓋４４を設けるようにしておけばよい。貫通孔４２を通して導体線２０の引き込みなどを行わないときには、かかる蓋４３を貫通孔４２に設けて塞ぐことができるようにして、電磁シールド性の確保を行えるようにしておけばよい。蓋４３の取付方法は、例えば、図８（Ｃ）に示すように、プラスドライバーで簡単にねじ込みできるような構成を採用すればよい。
【００６５】
なお、上記説明では、貫通処理部材４０を使用することにより、手間をかけずに、簡単に外部シールド層２５と電磁シールド層１０との電気的接続が確保されるように構成されているが、かかる電気的接続は、貫通処理部材４０を用いなくても構わない。
【００６６】
図９には、電磁シールド層１０に、貫通処理部材４０を用いることなく、上記説明の外部シールド層２５を設けた導体線２０を通した状況を示す説明図である。外部シールド層２５は、電磁シールド層１０に、導体線２０の径に合わせて開口した貫通孔に通されて、外部シールド層２５が、電気的に電磁シールド層１０に接続させられている。
【００６７】
また、図７（Ｃ）に示す場合には、貫通処理部材４０は、そのプレート４１を電磁シールド層１０の開口部１０ａを跨ぐように電磁シールド層１０上に設ける構成を示したが、プレート４１を開口部１０ａに嵌め込むように構成しても構わない。例えば、プレート４１を円形に構成しておき、電磁シールド層１０に設ける開口部１０ａも円形に構成しておき、両者をねじ込み式に嵌め込むことができるようにしても構わない。
【００６８】
さらには、上記説明では、貫通処理部材４０を電磁シールド層１０と別体に構成した場合を説明したが、当初より電磁シールド層１０に設けた貫通孔１２の開口面に、貫通部材４３を上記説明の要領の如く張るようにしても構わない。
【００６９】
また、貫通処理部材４０の本体をプレート４１に構成した場合について説明したが、それ以外の形状でも一向に構わない。
【００７０】
貫通処理部材４０の導電性部材４３は、貫通孔４２に着脱自在に取り替え可能に構成しておいても構わない。着脱構造は、ねじ込み式に嵌めるなど従来より慣用されている構成を使用すればよい。
【００７１】
（実施の形態３）
本実施の形態では、前記参考例および実施の形態１、２に示した貫通部処理構造に適用してさらにその電磁シールド性能を高めることができる構成を提案するものである。従来、電子シールド空間に引き込む導体線は、電磁シールド空間で使用する機器などに必要な数を引き込む処理がなされていた。
【００７２】
かかる処理方法では、図１０に模式的に示すように、電磁シールド空間１３ｂ内で使用する機器に対応した数の導体線１１が電磁シールド層１０を通過するため、その分、電磁シールド破壊が起きる可能性が高くなると言える。
【００７３】
そこで、本発明者は、図１１に示すように、電磁シールド空間内へ外部から引き込む導体線の数を少なくして、且つ、電磁シールド空間内で必要とされる導体線数を確保するために、引き込み導体線を、電磁シールド空間内で分岐する方法が有効であることを見出した。
【００７４】
図１１に示すように、導体線１１が電磁シールド層１０の貫通孔１２を通して電磁シールド空間１３ｂ内に引き込まれている。引き込まれた導体線１１は、電磁シールド空間１３内ｂに設けられた分電盤５０に接続され、電磁シールド空間１３ｂ内で個々の機器に向けて分岐されることとなる。
【００７５】
このように、電磁シールド空間１３ｂ内の導体線１１に分電盤５０などを設けることにより、電磁シールド空間１３ｂ内で分岐を行って、電磁シールド層１０の貫通部における貫通導体線の数を少なくすることができる。分電盤５０以外にも、例えば、端子盤などの分岐手段を使用すればよい。
【００７６】
図１０、１１を比較すると、本発明を適用する図１１では、電磁シールド層１０を貫通する導体線１１の数は例えば１本にされ、電磁シールド空間１３ｂ内で５本に分岐さされている。しかし、従来構成の方法では、当初より５本の導体線１１を電磁シールド層１０の貫通孔１２を通すように構成されており、図１１に示す場合に比べて、貫通部における電磁シールド性が低下し易いと考えられる。
【００７７】
【発明の効果】
本発明により、電磁シールド層を導体線が通る貫通部における電磁シールド性能を確保することができる。
【００７８】
本発明の貫通処理部材では、貫通孔に導電性部材を設けておき、導体線を通すことにより導体線の外部シールド層とその導電性部材が接触できるようになっているため、施工の都度金属線などで外部シールド層と電磁シールド層との間の電気的接続を図る従来構成に比べて、施工が容易となり、施工時間の短縮が図れる。
【図面の簡単な説明】
【図１】導波管による電磁シールド作用を示す説明図である。
【図２】同軸管の電磁波の伝送経路としての作用を示す説明図である。
【図３】電磁シールド材に設けた貫通孔に導体線を通すことによる電磁波の伝送作用を示す説明図である。
【図４】  （Ａ）は、参考例として電磁シールド層に導体線を貫通させている様子を示す模式図であり、（Ｂ）は、参考例として導体線に絶縁性磁性体を設けた様子を部分的に示す要部斜視図である。
【図５】（Ａ）は、外部シールド層を設けた本発明に係る導体線の断面構成を示す部分斜視図であり、（Ｂ）は外部シールド層を設けない従来構成の導体線の断面構成を示す部分斜視図である。
【図６】（Ａ）は外部シールド層を設けた本発明に係る電源線の断面斜視図であり、（Ｂ）は従来構成の電源線の断面斜視図である。
【図７】（Ａ）は本発明の貫通処理部材の使用状況を示す正面図であり、（Ｂ）は貫通処理部材の貫通孔に導電性部材を設けた状況を示す部分正面図であり、（Ｃ）は（Ａ）の側断面図である。
【図８】（Ａ）、（Ｂ）は、貫通処理部材に導体線を通した状況を示す説明図であり、（Ｃ）は貫通処理部材の貫通孔用の蓋を示す正面図である。
【図９】外部シールド層を有する導体線を、貫通処理部材を使用することなく電磁シールド層の貫通孔に通している状況を示す斜視図である。
【図１０】導体線の電磁シールド層の従来の引き込み状況を模式的に示す説明図である。
【図１１】導体線の電磁シールド層の本発明に係る引き込み状況を模式的に示す説明図である。
【符号の説明】
１      導波管
２      導体線
３      電磁シールド材
４      貫通孔
１０    電磁シールド層
１０ａ  開口部
１１    導体線
１２    貫通孔
１３ａ  非電磁シールド空間
１３ｂ  電磁シールド空間
１４    絶縁性磁性体
２０    導体線
２１    心線
２２    誘電層
２３    内部シールド層
２４    被覆部
２５    外部シールド層
３１ａ  心線
３１ｂ  心線
３２    絶縁層
３３    保護層
３４    外部シールド層
３５ａ  心線
３５ｂ  心線
４０    貫通処理部材
４１    プレート
４２    貫通孔
４３    導電性部材
４４    蓋
Ｄ      管幅
Ｄ１    幅
Ｌ      管長
Ｌ１    長さ
Ｐ１    取付ピッチ
【図１】
0004794771.tif 000002
【図２】
0004794771.tif 000003
【図３】
0004794771.tif 000004
【図４】
0004794771.tif 000005
【図５】
0004794771.tif 000006
【図６】
0004794771.tif 000007
【図７】
0004794771.tif 000008
【図８】
0004794771.tif 000009
【図９】
0004794771.tif 000010
【図１０】
0004794771.tif 000011
【図１１】
0004794771.tif 000012